【事件の表示】
　平成　６年特許願第２０１３９６号「体の動かし方を指導するための装置」拒絶査定不服審判事件〔平成　７年　６月　６日出願公開、特開平　７−１４４０３８〕について、次のとおり審決する。
【結　論】
　本件審判の請求は、成り立たない。
【理　由】
１．本願発明
　本願は、平成６年８月３日（パリ条約による優先権主張１９９３年８月１０日、米国）の出願であって、その請求項１に係る発明は、次の事項により特定されるとおりのものと認める。
　「実質的に同一場所から指導者と被指導者の行うスポーツ、演技又は行為等の動作をビデオ画像に撮像し、記録する撮像記録手段と、上記画像を同一画面上で画像を重ね合わせることなく、モニター・ディスプレイ上に２画面として並置して再生する再生手段とを備え、
　前記撮像記録手段は、ビデオカメラと、該カメラに結合され、各々が画像を操作するためのコントローラを有する少なくとも１組のビデオ・テープレコーダとを備え、
　前記再生手段は、前記１組のビデオ・テープレコーダの出力を受け、２つのビデオ信号処理ボード、１つの制御用ボードを有し、種々の信号処理を行うパーソナル・コンピュータと、該パーソナル・コンピュータに接続され、ここで処理された画像を表示するモニター・ディスプレイと、前記パーソナル・コンピュータに接続され、これを制御するためのキーボードと同様の作動を行うタッチペン・ボードと、前記パーソナル・コンピュータに接続され、前記モニター・ディスプレイの編集済みのビデオ画像を記録する他のビデオ・テープレコーダとを備え、前記モニター・ディスプレイ上の２画面に対しては、指導者又は被指導者の何れか一方の画像を動画像として一方の画面に表示し、他方の画像を静止画像として他方の画面に表示するか、または双方の画像を動画像として２画面に表示するか、あるいは静止画像として２画面に表示する手段を有することを特徴とする、体の動かし方を指導するための装置。」（以下、「本願発明」という。）
　本願の特許請求の範囲の請求項１には、「ビデオ・ディスプレイ」と「モニター・ディスプレイ」の二つの記載があるが、いずれも同じものを指しているから、「モニター・ディスプレイ」に統一して上記認定をなした。
　　
２．引用例
　これに対して、当審における、平成１７年１月１３日付けで通知した拒絶の理由に引用した本願の優先権主張の日（以下、「優先日」という。）前に頒布された実願昭５７−９０９７０号（実開昭５８−１９２６７０号）のマイクロフィルム（以下、「引用例」という。）には、本願発明に関連する事項として、以下の事項が図示と共に記載されている。
　ａ．「第１の信号を送出する映像信号再生装置と、第２の信号を送出するビデオカメラと、前記第１および第２の信号が入力され、これらの信号に映像特殊効果を付加する映像特殊効果装置と、前記映像特殊効果装置から出力される第３の信号を入力し画面上に表示するテレビジョンと、前記第３の信号を記録する映像信号記録再生装置とからなることを特徴とするビデオ教習装置。」（実用新案登録請求の範囲） 
　ｂ．「本考案は、ビデオカメラ・ビデオテープレコーダ（ＶＴＲ）・・・などのビデオ機器を用いた教習装置に係り、とくに、教材用の映像をモニターテレビジョン（ＴＶ）画面の一方の画像、例えば画面の右半分の画像とし、教習者が映し出された映像をＴＶ画面の他方の画像、例えば画面の左半分の画像とするビデオ教習装置を提供することを目的とするものである。」（１頁１４行〜２頁１行） 
　ｃ．「映像特殊効果装置６は、映像信号に多種類の特殊効果を付加する装置であり、ビデオカメラ４とＶＤＰ５とにそれぞれ接続され、ビデオカメラ４およびＶＤＰ５から出力される映像信号が印加されるものである。ここでは、もっぱら特殊効果を説明するのに、ワイプ（ＷＩＰＥ）効果を用いることにする。ワイプ効果とは、ＴＶ画面上に２種類の映像を同時に映し出す効果である。」（５頁１６行〜６頁４行）
　ｄ．「映像特殊効果装置６は、このワイプ効果のほかに次の５つの特殊効果を映像信号に付加することができる。・・・ビデオカメラやＶＴＲの映像上に文字や図形を挿入する・・・白黒ビデオカメラで撮影したテロップカードがカラータイトルになり、文字やバックの色を自在に変えられる・・・前の画面がしだいに消えてゆき、その画面内からつぎの画面がしだいにあらわれてくる・・・映像が徐々にあらわれたり、徐々に消えたりする・・・２種類の映像を別のテロップカメラで撮影した図形（ハート型、ひし型など）で組み合わせ合成する・・・映像特殊効果装置６がもつこのような効果を用いることにより、ビデオカメラ４からの映像とＶＤＰ５からの映像とを教習装置に適した映像にすることができるのである。」（６頁末行〜８頁５行）
　ｅ．「７はモニターテレビジョン（ＴＶ）であり、スイッチ１０を介して映像特殊効果装置６と接続され、特殊効果が付加された映像を映し出すものである。８はＶＴＲであり、映像特殊効果装置６と接続され、さらに、スイッチ１０を介してＴＶ７と接続される。こうすることによって、特殊効果が付加された映像を録画・再生してＴＶ７の画面に映し出すのである。９はリモートコントロール・スイッチである。このスイッチ９は、３部分９Ａ〜９Ｃから構成されている。第１のスイッチ部分９Ａはビデオカメラ４と接続されている。第２のスイッチ部分９Ｂは、ＰＬＡＹ・ＳＴＯＰ・ＲＶＳ・ＳＴＩＬの４つのボタンを有し、ＶＤＰ５と接続されている。第３のスイッチ部分９Ｃは、ＰＬＡＹ・ＦＦ・ＳＴＯＰ・ＲＷＤの４つのボタンを有し、ＶＴＲ８と接続されている。スイッチ１０は、映像特殊効果装置６あるいはＶＴＲ８のいずれかの映像信号を選択して、ＴＶ７に映像を供給するものである。」（８頁６行〜９頁８行）
　ｆ．「所定の位置にセットされているビデオカメラ４で、ゴルフのスウィングをしている自分を撮る。このときに、所望する画角の映像になるように、ＴＶ７の画面を見ながらスイッチ９ＡのＺＯＯＭボタンを押して調整する。ビデオカメラ４から出力される映像信号Ａは、映像特殊効果装置６に供給され・・・映像信号ＡはＴＶ画面の右半分に映し出される。ＶＤＰ５は、電源を入れ、ゴルフの試合が入っているビデオディスクを装着した後、スイッチ９ＢのＰＬＡＹボタンを押せば、映像信号Ｂが映像特殊効果装置６に供給される。そして、映像信号ＢはＴＶ画面の左半分に映し出される。スウィングしている自分の姿が映像Ａで、プロのプレーヤのスウィングしている姿が映像Ｂであれば、前記したＶＤＰ５が持つ６つの機能を利用することにより、プロのプレーヤーのフォームの画を自在のモーションで見ながら自分のフォームをその画に合わせれば、・・・映像Ｂの動きを止めたりして、繰り返し、繰り返し、映像Ｂに自分のフォームを合わせるようにする」（９頁１１行〜１０頁１６行） 
　ｇ．「自分のフォームを研究するため、プロのゴルフプレーヤなど他人のフォームと自分のフォームとを比較して見ることができ、教材用の画と教習者が映し出された画とをＴＶ画面で同時に見ることができる」（１２頁末行〜１３頁４行）」 
　上記記載ｆにおける「自分のフォームの画」とは、上記記載ｇからみて、「教習者のフォームの画」といえ、また、記載ｆにおける「映像Ａ」及び「映像Ｂ」は、それぞれ、「教習者のフォームの画」及び「プロプレーヤのフォームの画」といえるから、以上の記載を含む上記引用例には、以下の発明が記載されている。
　「プロのプレーヤのフォームの画を記録したビデオディスクが装着される、スイッチ９Ｂにより操作されるＶＤＰ５と、スイッチ９Ａの操作によりプロのプレーヤのフォームの画に合わせるように調整して教習者のフォームの画を撮像できるビデオカメラ４と、ＶＤＰ５から送出するプロのプレーヤのフォームの画の信号およびビデオカメラ４から送出する教習者のフォームの画の信号が入力され、これらの信号に映像特殊効果を付加する映像特殊効果装置６と、前記映像特殊効果装置６から出力される信号を入力し画面上に表示するＴＶ７と、前記映像特殊効果装置６と接続され特殊効果が付加された映像を録画・再生するＶＴＲ８とを備え、前記ＴＶ７の画面に対して、教習者のフォームの画を動画像としてＴＶ７の画面の右半分に映し出し、プロのプレーヤのフォームの画を静止画像としてＴＶ７の画面の左半分に映し出すビデオ教習装置。」（以下、「引用発明」という。）
　　　　　
３．対比・判断
　本願発明と上記引用発明とを対比する。
　ア．上記記載ｆのフォームを合わせた教習者のフォームの画（映像Ａ）とプロのプレーヤのフォームの画（映像Ｂ）は、実質的に同一場所から撮像したビデオ画像ということができる。というのは、ビデオ画像上で二人のフォームが合っているということは、それぞれのビデオカメラの撮像倍率が同じである場合、それぞれのビデオカメラが、それぞれの被撮像者に対して同じ距離で同じ方向におかれていることすなわち実質的に同一場所から撮像しているといえるからである。
　イ．引用発明における「教習者」は、本願発明の「被指導者」に相当しており、また、引用発明の「プロのプレーヤ」と本願発明の「指導者」とは、被指導者（教習者）が合わせるべき動作を行う者（以下、「模範演技者」という。）として共通している。
　ウ．引用発明の「ビデオカメラ４」と「ＶＤＰ５」は、各々が画像を操作するためのコントローラを有する（記載ｅ参照）から、本願発明の「ビデオカメラと、該カメラに結合され、各々が画像を操作するためのコントローラを有する少なくとも１組のビデオ・テープレコーダ」とは、各々が画像を操作するためのコントローラを有する少なくとも１組のビデオ画像信号の出力装置として共通している。
　エ．引用発明の「映像特殊効果装置６」は、本願発明の「パーソナル・コンピュータ」とは、種々の信号処理を行う装置として共通している。
　オ．引用発明の「ＴＶ７の画面」、「ＶＴＲ８」及び「ビデオ教習装置」は、それぞれ、本願発明の「モニター・ディスプレイ」、「他のビデオ・テープレコーダ」及び「体の動かし方を指導するための装置」に相当している。
　カ．引用発明の「映像特殊効果装置６と接続され特殊効果が付加された映像を録画・再生するＶＴＲ８」は、「種々の信号処理を行う装置に接続されモニター・ディスプレイの編集済みのビデオ画像を記録する他のビデオ・テープレコーダ」ということができる。
　キ．引用発明の「ＴＶ７の画面」の「右半分」と「左半分」のそれぞれは、別個の映像を表示できる（記載ｂ、ｆ参照）から、そのとき「ＴＶ７の画面」はモニター・ディスプレイ上の２画面であるということができる。
　以上のことから、両者の一致点と相違点は以下のとおりである。
　［一致点］
　「模範演技者と被指導者の動作を実質的に同一場所から撮像した画像を出力する、各々が画像を操作するためのコントローラを有する少なくとも１組のビデオ画像信号の出力装置と、前記１組のビデオ画像信号の出力装置の出力を受け、種々の信号処理を行う装置と、前記種々の信号処理を行う装置に接続され、ここで処理された画像を表示するモニター・ディスプレイと、前記種々の信号処理を行う装置に接続され、前記モニター・ディスプレイの編集済みのビデオ画像を記録する他のビデオ・テープレコーダとを備え、前記モニター・ディスプレイ上の２画面に対しては、模範演技者又は被指導者の何れか一方の画像を動画像として一方の画面に表示し、他方の画像を静止画像として他方の画面に表示する手段を有する体の動かし方を指導するための装置。」
　［相違点］
　Ａ．模範演技者が、本願発明では、指導者自身であるのに対して、引用発明では、プロのプレーヤである点、
　Ｂ．１組のビデオ画像信号の出力装置が、本願発明では、ビデオ画像に撮像し、記録する撮像記録手段としての、ビデオカメラと、該カメラに結合され、各々が画像を操作するためのコントローラを有する少なくとも１組のビデオ・テープレコーダであるのに対して、引用発明では、「ビデオカメラ４」と「ＶＤＰ５」である点、
　Ｃ．本願発明では、種々の信号処理を行う装置が、２つのビデオ信号処理ボード、１つの制御用ボードを有し、種々の信号処理を行うパーソナル・コンピュータであると共に、該パーソナル・コンピュータに、これを制御するためのキーボードと同様の作動を行うタッチペン・ボードが接続されているのに対して、引用発明では、種々の信号処理を行う装置（映像特殊効果装置６）の具体的構成が定かでない点。
　［相違点の判断］
　相違点Ａについて、
　一般に、スポーツ、演技又は行為等の体の動かし方を指導するに当たって、指導者自身が模範演技者となることは普通のことであるから、引用発明において、相違点Ａのように、模範演技者として指導者自身を選択することは、当業者が容易に想起できることである。
　相違点Ｂについて、
　スポーツ、演技又は行為等の動作をビデオ画像に撮像し、記録する撮像記録手段として、ビデオカメラと、該カメラに結合され、画像を操作するためのコントローラを有するビデオ・テープレコーダは、本願の優先日当時、例えば、一般家庭でも、旅行、運動会、入学式、卒業式等でよく使われているように、周知であり、また、引用発明において、模範演技者を相違点Ａのように指導者自身とすれば、プロのプレーヤと違って指導者は身近で撮影も容易であるから、引用発明の「ＶＤＰ５」に替えて、ビデオカメラと、該カメラに結合され、画像を操作するためのコントローラを有するビデオ・テープレコーダを使用することは普通に考えることであり、結局、相違点Ｂのように、その「ビデオカメラ４」と「ＶＤＰ５」に替えて、ビデオカメラと、該カメラに結合され、各々が画像を操作するためのコントローラを有する１組のビデオ・テープレコーダを使用することは、当業者が容易に想起できることであり、その作用効果も格別なものでない。
　相違点Ｃについて、
　ビデオ画像の信号をコンピュータに入力して画像の合成等の種々の信号処理を行うことは、本願の優先日以前から周知である。
　例えば、特開平２−７１７７３号公報の「（４９）は第１の撮影装置（４１）、第２の撮影装置（４２）の出力映像信号をディジタル変換してパーソナル・コンピュータ（４６）に取り込むためのＡ／Ｄコンバータ・・・ゴルファ−のスイング・モーションを撮影する第１の撮影装置（４１）からの映像信号と第２の撮影装置（４２）から出力された映像信号はＡ／Ｄコンバータ（４９）でディジタル変換され図示しない制御部でタイミングを調整された上で映像信号合成処理により合成され、ゴルファーのスイング・モーションの時間的推移を表す一連の合成映像としてデイスプレイ・モニタ（４５）上に表示される。合成のタイミングは永久磁石を埋め込んだゴルフ・クラブをスイング中に磁気センサで検出してボールのインパクトの瞬間をとらえている。体重配分測定装置（４３）はスイング中にゴルファ−の両足にかかる体重の配分の変化を片足づつ測定し、電気信号に変換して映像信号とスーパー・インポーズして棒グラフとしてデイスプレイ・モニタ（４５）上に表示する。スイング特性測定装置（４４）はボールが打撃されると発光素子の光線がボールにより遮られることを利用して、ボールの動きに対応したパルス上の検出信号を得て、この検出信号によりボールの飛び出し角度やボールの飛び出し速度をパーソナル・コンピユータ（４６）により演算して求めることができる。」（１頁右下欄末行〜２頁右上欄１２行）及び、特開平４−８６９５８号公報の「コンピュータが介在するものとしては、次のようなものがある。４．予め作成した理想的なスウィングパターンをコンピュータに入力しておき、実際に撮像した対象（練習）フォームの画像を基準位置で合わせた後、グラフィック画面にスーパーインボーズ表示する。５．ビデオテープに格納した一連の動作を各コマ単位で静止画像表示し、各コマの画像における動作上の特徴点をマニュアルで画面入力し、各コマ画像の特徴点群を時系列に連結し、各特徴点列の軌跡をＣＲＴ上にグラフィック表示する。」（２頁右上欄８〜１９行）の各記載にみられるとおりである。
　そうすると、引用発明において、種々の信号処理を行う装置として、パーソナル・コンピュータを使用することは、当業者が格別困難性無く想到し得ることであり、その際に、当該パーソナル・コンピュータが２つのビデオ信号処理ボード、１つの制御用ボードを有するようになすことも、当業者が、使用するパーソナル・コンピュータの性能を勘案して必要に応じて適宜なす事にすぎない。また、コンピュータを制御するための装置として、キーボードと同様の作動を行うタッチペン・ボードは、例えば、特開平３−７５９１１号公報、特開平３−２６３２１７号公報にみられるように周知であるから、これを上記パーソナル・コンピュータに接続するようにすることも、当業者が想到容易である。
　ゆえに、引用発明において、相違点Ｃにかかる構成を備えることは当業者が想到容易であり、その作用効果も格別なものでない。
　以上のとおりであるから、本願発明は、引用例に記載された発明及び周知技術から当業者が容易に発明をすることができたものであるから、特許法第２９条第２項の規定により特許を受けることができない。
　　
４．むすび 
　本願発明が特許を受けることができない以上、本願のその余の請求項に係る発明について検討するまでもなく、本願は拒絶を免れない。
　よって結論のとおり審決する。